(57)【要約】  【課題】  アレルギー症状の発生のおそれが限りなく小さいゴム成形品を用いた文房具などの製品を提供する。  【解決手段】  本発明のゴム成形品は、通常の天然ゴムのようにゴムの木の樹液を原料しておらず、チチタケに含まれるポリイソプレンを抽出したものを原料としているので、アレルギー症状の原因の蛋白質を含まないので、アレルギー症状の発生のおそれがない。そして、このようなゴム成形品をボールペンなどの文房具や事務用品などに用いることができる。【選択図】  図１
2006036998.tif 000002
【特許請求の範囲】
【請求項１】
チチタケに含まれているポリイソプレンを抽出し、前記ポリイソプレンを原料として製造されることを特徴とするゴム成形品。
【請求項２】
放射線を用いて加硫されたことを特徴とする請求項１に記載のゴム成形品。
【請求項３】
請求項１又は２に記載のゴム成形品を用いたことを特徴とする文房具。
【請求項４】
請求項１又は２に記載のゴム成形品を用いたことを特徴とする事務用品。
【請求項５】
請求項１又は２に記載のゴム成形品を用いたことを特徴とする輪ゴム。
【請求項６】
チチタケに含まれるポリイソプレンを抽出し、前記ポリイソプレンを原料として製造されたゴムを用いたことを特徴とするゴム粘土。
【請求項７】
チチタケからポリイソプレンを含む原料を採取する工程と、前記ポリイソプレンを含む原料からポリイソプレンを抽出して加硫する工程とを有することを特徴とするゴム成形品の製造方法。
【発明の詳細な説明】
【技術分野】
【０００１】
本発明は、ゴム成形品やゴム成形品を用いた文房具や事務用品などに関するものである。
【背景技術】
【０００２】
従来より、天然ゴムは文房具や事務用品など、その他の日用品などに用いられている。
天然ゴムは、南米を中心とした熱帯地方に生息するゴムの木の樹液を原料として作られる。ゴムの木の樹液は直径０．５〜５．０μmの粒子の懸濁液として得られ、ラテックスと呼ばれている。
【０００３】
そして、ラテックス中に含まれるゴム分であるポリイソプレンを濃縮又は凝固させて生ゴムとし、これを加硫させてゴムとして用いられている。
【０００４】
ラテックスには、蛋白質、脂質、炭水化物のような非ゴム成分をもふくんでいると言われているが、これらの中には、アレルギーを起こす蛋白質が含まれている。そのため、天然ゴムを用いた文房具などに触れると、かぶれなどのアレルギー症状が発生するおそれがある。
【０００５】
特に、文房具などでは、直接に手などに触れた状態で使用するものであり、このようなアレルギー症状の発生を低減させることが望まれている。
【０００６】
このため、特許文献１等に示されるように、ラテックスに含まれるアレルギーを起こすと考えられる蛋白質を除去する技術が開発されている。
【特許文献１】特開２００２−６９１０２号公報
【発明の開示】
【発明が解決しようとする課題】
【０００７】
しかしながら、特許文献１等に示される方法では、大掛かりな設備などを必要とするものである。また、これらの除去処理によって、ゴム成分の化学構造や物性が変化するおそれがあり、方法によってはアレルギー成分の完全に除去することは難しく、微量でもかかる成分が残ると、アレルギー症状の発生のおそれがある。  
【０００８】
そこで、本発明の目的は、アレルギー症状の発生のおそれが限りなく小さいゴムを用いた文房具などを提供することを課題とするものである。
【課題を解決するための手段】
【０００９】
そして、上記した目的を達成するための請求項１に記載の発明は、チチタケに含まれているポリイソプレンを抽出し、前記ポリイソプレンを原料として製造されたゴムを用いた文房具である。
ここで、チチタケとは、ベニタケ科チチタケ属のキノコであり、学名はＬａｃｔａｒｉｕｓ  ｖｏｌｅｍｕｓ（Ｆｒ．）Ｆｒである。
【００１０】
請求項１に記載の発明によれば、文房具に使用されるゴムは、通常の天然ゴムのようにゴムの木の樹液を原料しておらず、チチタケに含まれているポリイソプレンを抽出したものを原料としているので、アレルギー症状の原因の蛋白質を含まないので、アレルギー症状の発生のおそれがない。
【００１１】
請求項２に記載の発明は、放射線を用いて加硫されたことを特徴とする請求項１に記載のゴム成形品である。
【００１２】
請求項２に記載の発明によれば、放射線を用いて加硫されているので、加硫のために添加する硫黄化合物などを添加することがないので、硫黄化合物などに含まれるアレルギー症状の原因となる化学物質がゴム成形品に含まれない。
【００１３】
請求項１又は２に記載のゴム成形品を用いて文房具とすることができる（請求項３）。具体的な文房具としては、ボールペン、万年筆、シャープペンシル、彫刻刀、消しゴムなどがある。また、ボールペン、万年筆、シャープペンシル、彫刻刀など、形状が棒状で、握って使用するものについては、グリップ部分や本体の軸部分の部品に、このゴム成形品を用いることができる。
【００１４】
また、請求項１又は２に記載のゴム成形品を用いて事務用品とすることができる（請求項４）。具体的な事務用品としては、ゴム製指サック、ゴム製磁石、机などの上に敷いて使用されるディスクマットと呼ばれるシートなどがある。
【００１５】
そして、請求項１又は２に記載のゴム成形品を用いて、輪ゴムとすることができる（請求項５）。また、チチタケに含まれるポリイソプレンを抽出し、前記ポリイソプレンを原料として製造されたゴムを用いてゴム粘土とすることができる（請求項６）。
【００１６】
請求項７に記載の発明は、チチタケからポリイソプレンを含む原料を採取する工程と、前記ポリイソプレンを含む原料からポリイソプレンを抽出して加硫する工程とを有することを特徴とするゴム成形品の製造方法である。
【００１７】
請求項７に記載の発明によれば、アレルギー症状の原因の蛋白質を含まないゴム成形品を製造することができる。
【発明の効果】
【００１８】
本発明の文房具などの製品に用いるゴムは、アレルギー症状の発生がほとんどなく、安心して使用することができる。
【発明を実施するための最良の形態】
【００１９】
以下さらに本発明の具体的実施例について説明する。
図１には、本発明のゴム成形品であるグリップ１０が設けられているボールペン１が示されている。グリップ１０はゴム成形品であるが、このゴムの原料にはチチタケが用いられている。
【００２０】
チチタケは、夏から秋にかけて雑木林で多く見られるキノコである。そして、傷を付けると、そこから乳状の白い液体がその傷口から噴出する。この液体には、ポリイソプレンを含んでいる。
そのため、チチタケから、ポリイソプレンを含む物質を採取する場合には、人為的にチチタケに傷を付け、ここから噴出する液を容器などに受けて採取することができる。なお、ポリイソプレンを含む物質を採取することができれば、他の方法を用いることができる。
【００２１】
そして、このチチタケから取れた白色液体からポリイソプレンを抽出する。この抽出は、従来のゴムの木の樹液からポリイソプレンを濃縮又は凝固させて生ゴムとする方法と同様な方法などを用いて行う。
【００２２】
上記の抽出したポリイソプレンを含むものを加硫してゴム弾性を与える。本発明の実施形態のグリップ１０では、放射線によって加硫を行う。なお、通常、加硫とは、硫黄化合物などを添加して、ポリイソプレン同士に橋かけを行うものであるが、本実施形態では、放射線によって加硫が行われる。
なお、加硫促進剤としてアクリル酸エステルなどを添加して加硫してもよい。
また、加硫方法は、他の方法を用いることができる。
【００２３】
グリップ１０の形状となるように型に入れて、硬化させて、グリップ１０を成形する。なお、加硫は、成形の前に行っても良く、成形の際に行っても良い。
【００２４】
グリップ１０は、ボールペン１のペン先付近に設けられており、ボールペン１を使用する場合、指先付近に配置している。そのため、使用者がグリップ１０に触れることになるが、本発明のグリップ１０では、チチタケを原料としており、アレルギー症状を引き起こす蛋白質が含まれていないので、アレルギー症状の発生のおそれがない。
【００２５】
また、本発明のチチタケを原料とするゴムは、上記したボールペン１のグリップ１０だけでなく、他の文房具や事務用品などにも用いることができる。
たとえば、他の筆記具（万年筆、シャープペンシル等）や彫刻刀などの、握り部分にグリップ１０と同様なゴム成形品を用いても良く、握り部分以外の軸部に用いても良い。
【００２６】
さらに、本発明のチチタケを原料とするゴムは、ボールペン１のペン先に設けられるシール用のゴムにも用いることができる。また、消しゴムに用いるゴムや、輪ゴム、ゴムに磁性材料が添加されて成形されるゴム製の磁石、ゴム製指サック、ゴム製マットなどにも使用することができる。
【００２７】
図２には、チチタケを原料とするゴムを用いて製造された消しゴム２０が図示されている。消しゴム２０は、チチタケを原料とするゴムが用いられており、従来技術の消しゴムと同様に、充填剤などの添加剤などが添加されている。
この添加剤は、性能向上のために添加するものであり、従来技術の消しゴムに添加されている添加剤が使用される。この例としては、消しゴムの使用の際の消去性を向上させるための目的や、使用の際に紙などが破れにくく、消しゴム自身が割れたりすることが無いような硬さとする目的や、紫外線などによるゴムの劣化を防止する目的などのために添加される。
【００２８】
また、本発明のチチタケを原料とするゴムを用いて、ゴム粘土とすることができる。ゴム粘土とは、手作業で自由に塑性変形ができ、種々の形に細工できその形を保持させておくことができるものであり、子供の玩具等として使用されているものである。
そして、ゴム粘土は天然ゴムなどに油剤及び充填材を練り合せたものであるが、これをチチタケを原料とするゴムを用いて製造することができる。
【図面の簡単な説明】
【００２９】
【図１】本発明の実施形態のボールペンを示す正面図である。
【図２】本発明の実施形態の消しゴムを示す正面図である。
【符号の説明】
【００３０】
１０  グリップ（ゴム成形品）
２０  消しゴム
【図１】
2006036998.tif 000003
【図２】
2006036998.tif 000004